(57)【要約】      （修正有）【課題】鉢植えの育苗を土付きのまま土壌に移植するための陥没孔の掘削具を提供する。【解決手段】育苗移植用陥没孔作成器具は、円筒体１外面にコの字型の帯状支持片２を固定し、支持片２頂部の左右延長に把手３を一体に突出させ、円筒体１の上縁付近で把手３と直交する円筒体１の直径位置に軸棒４を固定してある。軸棒４で交差するよう両側にレバー５を設け、レバー５が作動可能に円筒体１と支持片２にタテ溝を設けてあり、レバー５に接続して円筒体１内の円板７を上下動するリンク装置の伸縮腕６を構成して、円板７が円筒体１内に土壌を所定量導入し、導入した土壌を下方に排除することができるようにしてある。円筒体１は下縁が鋸の刃状に連続する山型になっていて、円板７には強度をもたせ適宜数のネジ棒８を垂下している。【選択図】図１
0003153997.tif 000002
【実用新案登録請求の範囲】
【請求項１】
イ）円筒体（１）外面にコの字型の帯状支持片２を固定し、ロ）支持片２頂部の左右延長に把手３を一体に突出させ、ハ）円筒体１の上縁付近で把手３と直交する円筒体１の直径位置に軸棒４を固定してあり、ニ）軸棒４で交差するよう両側にレバー５を設け、レバー５が作動可能に円筒体１と支持片２にタテ溝を設けてあり、レバー５に接続して円筒体１内の円板（７）を上下動するリンク装置の伸縮腕６を構成して、円板７には強度をもたせ円筒体１内に土壌を所定量導入し、導入した土壌を下方に排除することができるようにしてあり、ホ）円筒体１は下縁が鋸の刃状に連続する山型になっていて、円板７に適宜数のネジ棒８を垂下していることからなる育苗移植用陥没孔作成器具。
【考案の詳細な説明】
【技術分野】
【０００１】
本考案は野菜類などの鉢植え育苗を土付きで耕した土壌に移植する際に陥没孔を形成する器具に関する。
【背景技術】
【０００２】
最近、野菜類などを畑で栽培する場合、あらかじめ当該野菜の苗を植木鉢状の薄肉の軟質合成樹脂容器内で育成し、所定に生育した育苗を適宜畑の土壌に移植することが広くおこなわれている。この際、育苗を受け入れる土壌は予め耕したあと、あらかじめ黒色の軟質フイルムを被覆して土壌の保温等をはかっているので、生育した育苗を畑の土壌に没入させるために、育苗１個ごとに軟質フイルムを削除するとともに土壌に陥没孔を形成しなければならないが、この作業が煩雑であり、改善が望まれている。このような作業を改善するものとして、特許文献１によれば、育苗トレイを載置して苗取り工程毎に苗送りする苗載台を装備し、開閉可能な開孔爪内に摺動可能な保持針を設けて苗取・植付爪を形成し、該苗取・植付爪は苗載に対向した位置と畝植えの間を揺動して移動できると共に、苗載台に対向した位置で開孔爪を開いて保持針にてプラグ苗を刺して開口爪内に引き込み、畝上でプラグ苗を放出するようにしたものや、特許文献２によれば、育苗を育苗箱から連続状態を維持しながら引き出して植え付けることのできる地上走行型の連続集合鉢体苗移植機が紹介されているが、いずれも大掛かりのもので、小規模の農作業にはむかない。
【先行技術文献】
【特許文献】
【０００３】
【特許文献１】実開平７ー１８５０８
【特許文献２】実開平７ー３９３２０
【考案の概要】
【考案が解決しようとする課題】
【０００４】
本考案は野菜類などの育苗を耕した土壌に移植する際、毛根を痛めることなく移植毎に育苗を受け入れる土壌に陥没部を形成するための持ち運び容易な育苗移植用の掘削器具を提供せんとするものである。
【課題を解決するための手段】
【０００５】
ここにおいて本考案者は、イ）円筒体１外面にコの字型の帯状支持片２を固定し、ロ）支持片２頂部の左右延長に把手３を一体に突出させ、ハ）円筒体１の上縁付近で把手３と直交する円筒体１の直径位置に軸棒４を固定してあり、ニ）軸棒４で交差するよう両側にレバー５を設け、レバー５が作動可能に円筒体１と支持片２にタテ溝が設けてあり、レバー５に接続して円筒体１内の円板７を上下動するリンク装置の伸縮腕６を構成して、円板７には強度をもたせて円筒体１内に土壌を所定量導入し、導入した土壌を下方に排除することができるようにしてあり、ホ）円筒体１は下縁が鋸の刃状に連続する山型になっていて、円板７には適宜数のネジ棒８が垂下していることからなる育苗移植用陥没孔の掘削器具を見出すに至った。
【考案の効果】
【０００６】
円筒体１と円板７、円板７と一体のネジ棒８の組合せにより、多少力を入れて円筒体１を土壌に圧入すれば、円筒体１内に導入された土壌が圧縮されて固まり、ネジ棒８が抵抗になり、陥没孔が形成されてから、持ち上げて移動しても円筒体１内から土壌が落下しないことが見出されたので、円筒体１内で土壌を保持し、任意の場所で当該土壌を排除し、さらに土壌で切断したフイルムをネジ棒８で捕捉できることも見出したので、育苗を栽培用の土壌の陥没孔に移植する掘削器具を考案するに至った。
【図面の簡単な説明】
【０００７】
【図１】実施例による育苗移植用陥没孔の掘削器具のタテ方向の断面による説明図である。
【考案を実施するための形態】
【０００８】
この掘削器具は高さが低いので野菜栽培用土壌の作業空間に障害物が存在する場合でも邪魔になることがなく使用できる。育苗鉢内の土壌と一体の育苗を栽培用の土壌に移植するための育苗移植用陥没孔掘削器具は、所定高さで下縁が鋸の刃状に連続する山型になっている円筒体１に対し、把手３付き支持片４があり、レバー５の作動により円筒体１内の円板７を上下動することができるリンク装置の伸縮腕６とからなる。
【０００９】
伸縮腕６により円板７を上限に移動して円筒体１内に土壌を所定量導入し、また円板７を下限に移動して導入した土壌を下方に排除することができるようにしてあり、円筒体１は下縁が鋸の刃状に連続する山型になっていて、円筒体１内の円板７には適宜数のネジ棒８を垂下して切断した円形フイルムを捕集させ纏めて排除する。
【００１０】
円板８の上限位置を規制するために、両手で両レバー５を最大限下げたまま、移植土壌面で当該器具を押し下げることにより、土壌を円筒体１内の円板７位置まで上昇させ、つぎに、両レバー５を下げたままで円筒体１を持ち上げれば土壌に陥没孔が形成される。さらに、他の場所で両レバー５を最大限に立ち上げれば、円板７が下降して円筒体１内の土壌が排除され、以上を繰り返せば育苗移植用陥没孔の掘削が連続しておこなわれる。
【実施例１】
【００１１】
育苗鉢はタテ、ヨコ約１０ｃｍのものが汎用されているので、円筒体１の寸法は原則、薄肉で外径約１０ｃｍ、高さはリンク装置を内蔵する関係で約１７ｃｍが望ましく、本考案の育苗移植用陥没孔の掘削具は、金属製であることが望ましい。なお、円筒体１は土壌を導入する際７ｃｍの深さの空隙が生じるようにしてあり、土壌を排除する際は円板７が円筒体１の下縁近くまで下がるようにしてある。
【００１２】
なお、野菜栽培用土壌として黒色フイルムで被覆してある所定の位置に筒状体３を置き、円筒体１の下縁が鋸の刃状に連続する山型になっているものを押し下げるので、黒色フイルムが円形に切り取られ、操作を繰り返せばネジ棒８に切り取られた円形のフイルムがネジ棒８に刺さり累積するので、随時はぎとる。
【産業上の利用可能性】
【００１３】
小規模の農作業の効率化のために必要な作業器具として、量産が望まれ、その生産で産業が活性化するものと思われる。
【符号の説明】
【００１４】
１  円筒体
２  支持片
３  把手
４  軸棒
５  レバー
６  伸縮腕
７  円板
８  ねじ棒
【図１】
0003153997.tif 000003
【手続補正書】
【提出日】平成21年7月16日(2009.7.16)
【手続補正１】
【補正対象書類名】実用新案登録請求の範囲
【補正対象項目名】請求項１
【補正方法】変更
【補正の内容】
【請求項１】
イ）円筒体１外面にコの字型の帯状支持片２を固定し、ロ）支持片２頂部の左右延長に把手３を一体に突出させ、ハ）円筒体１の上縁付近で把手３と直交する円筒体１の直径位置に軸棒４を固定してあり、ニ）軸棒４で交差するよう両側にレバー５を設け、レバー５が作動可能に円筒体１と支持片２にタテ溝を設けてあり、レバー５に接続して円筒体１内の円板７を上下動するリンク装置の伸縮腕６を構成して、円板７には強度をもたせ円筒体１内に土壌を所定量導入し、導入した土壌を下方に排除することができるようにしてあり、ホ）円筒体１は下縁が鋸の刃状に連続する山型になっていて、円板７に適宜数のネジ棒８を垂下していることからなる育苗移植用陥没孔作成器具。
【手続補正書】
【提出日】平成21年7月17日(2009.7.17)
【手続補正１】
【補正対象書類名】明細書
【補正対象項目名】０００８
【補正方法】変更
【補正の内容】
【０００８】
この掘削器具は高さが低いので野菜栽培用土壌の作業空間に障害物が存在する場合でも邪魔になることがなく使用できる。育苗鉢内の土壌と一体の育苗を栽培用の土壌に移植するための育苗移植用陥没孔掘削器具は、所定高さで下縁が鋸の刃状に連続する山型になっている円筒体１に対し、把手３付き支持片２があり、レバー５の作動により円筒体１内の円板７を上下動することができるリンク装置の伸縮腕６とからなる。
【手続補正２】
【補正対象書類名】明細書
【補正対象項目名】００１０
【補正方法】変更
【補正の内容】
【００１０】
円板７の上限位置を規制するために、両手で両レバー５を最大限下げたまま、移植土壌面で当該器具を押し下げることにより、土壌を円筒体１内の円板７位置まで上昇させ、つぎに、両レバー５を下げたままで円筒体１を持ち上げれば土壌に陥没孔が形成される。さらに、他の場所で両レバー５を最大限に立ち上げれば、円板７が下降して円筒体１内の土壌が排除され、以上を繰り返せば育苗移植用陥没孔の掘削が連続しておこなわれる。
【手続補正書】
【提出日】平成21年7月21日(2009.7.21)
【手続補正１】
【補正対象書類名】明細書
【補正対象項目名】００１２
【補正方法】変更
【補正の内容】
【００１２】
なお、野菜栽培用土壌として黒色フイルムで被覆してある所定の位置に円筒体１を置き、円筒体１の下縁が鋸の刃状に連続する山型になっているものを押し下げるので、黒色フイルムが円形に切り取られ、操作を繰り返せばネジ棒８に切り取られた円形のフイルムがネジ棒８に刺さり累積するので、随時はぎとる。
【手続補正２】
【補正対象書類名】明細書
【補正対象項目名】００１４
【補正方法】変更
【補正の内容】
【００１４】
１  円筒体
２  支持片
３  把手
４  軸棒
５  レバー
６  伸縮腕
７  円板
８  ネジ棒